(57)【要約】【課題】任意に選択した複数の機器のパラメータ情報をまとめて管理する。【解決手段】管理対象の複数の機器の中から、ユーザが選択した複数の機器に設定されているパラメータ情報を、選択した複数の機器を一つのグループとして特定可能な識別情報、およびパラメータ情報をグループ単位で保存するときの保存日時情報に対応付けて記憶させる記憶部１１と、管理対象の複数の機器を一覧表示する一覧表示部１２と、一覧表示された複数の機器の中から、一つの機器に対応するパラメータ情報の履歴情報を表示するように指示された場合に、指示された一つの機器と同じグループに属する機器のパラメータ情報を、記憶されているパラメータ情報から抽出する情報抽出部１３と、抽出されたパラメータ情報を、ユーザが閲覧可能な状態で提供する情報提供部１４と、を備える。【選択図】図１
2014134918.tif 000002
【特許請求の範囲】
【請求項１】
管理対象である複数の機器の中から、ユーザの操作指示に従って選択された複数の機器に設定されているパラメータ情報を、前記選択された複数の機器を一つのグループとして特定可能な識別情報、および前記パラメータ情報を前記グループ単位で保存するときの保存日時情報に対応付けて記憶させる記憶部と、
管理対象である複数の機器を一覧表示する一覧表示部と、
前記一覧表示部により表示された複数の機器の中から、一つの機器に対応する前記パラメータ情報の履歴情報を表示するように指示された場合に、当該指示された一つの機器と同じ前記グループに属する機器の前記パラメータ情報を、前記記憶部により記憶させられた前記パラメータ情報から抽出する情報抽出部と、
前記情報抽出部により抽出された前記パラメータ情報を、ユーザが閲覧可能な状態で提供する情報提供部と、
を備えることを特徴とする機器管理装置。
【請求項２】
前記情報抽出部は、前記一覧表示部により表示された複数の機器の中から、一つの機器に対応する前記パラメータ情報の最新情報を表示するように指示された場合に、当該指示された一つの機器の前記パラメータ情報のうち、最新の前記パラメータ情報を、前記記憶部により記憶させられた前記パラメータ情報から抽出する、ことを特徴とする請求項１記載の機器管理装置。
【請求項３】
管理対象である複数の機器の中から、ユーザの操作指示に従って選択された複数の機器に設定されているパラメータ情報を、前記選択された複数の機器を一つのグループとして特定可能な識別情報、および前記パラメータ情報を前記グループ単位で保存するときの保存日時情報に対応付けて記憶させる記憶ステップと、
管理対象である複数の機器を一覧表示する一覧表示ステップと、
前記一覧表示ステップにおいて表示された複数の機器の中から、一つの機器に対応する前記パラメータ情報の履歴情報を表示するように指示された場合に、当該指示された一つの機器と同じ前記グループに属する機器の前記パラメータ情報を、前記記憶ステップにおいて記憶させられた前記パラメータ情報から抽出する情報抽出部と、
前記情報抽出ステップにおいて抽出された前記パラメータ情報を、ユーザが閲覧可能な状態で提供する情報提供ステップと、
を含むことを特徴とする機器管理方法。
【発明の詳細な説明】
【技術分野】
【０００１】
本発明は、機器管理装置および機器管理方法に関する。
【背景技術】
【０００２】
生産プロセスを管理する現場では、プラント内に多数の機器（例えばセンサ機器やバルブポジショナ等のデバイス）を配置してプロセスを管理する。これらの機器は、マルチベンダー化されており、各ベンダーは、機器に設定するパラメータや、そのパラメータの値を独自に設けている。したがって、機器を各現場に配置するときには、機器の設定を各現場のシステム仕様に合わせて個別に変更することになる。システムの管理者は、このような変更されたパラメータ情報を含めて、現場に配置されている全ての機器のパラメータ情報を把握して管理する必要がある。下記特許文献１には、各機器に設定されているパラメータ情報に対して短時間でアクセスできるようにする技術が開示されている。
【先行技術文献】
【特許文献】
【０００３】
【特許文献１】特開２００６−１４６５２６号公報
【発明の概要】
【発明が解決しようとする課題】
【０００４】
上記特許文献１に記載の技術では、機器ごとにパラメータ情報を保存し、その保存したパラメータ情報を機器ごとに読み出しているが、任意に選択した複数の機器のパラメータ情報をまとめて管理することについて考慮されていない。
【０００５】
本発明は、上述した従来技術による問題点を解消するためになされたものであり、任意に選択した複数の機器のパラメータ情報をまとめて管理することができる機器管理装置および機器管理方法を提供することを目的とする。
【課題を解決するための手段】
【０００６】
本発明に係る機器管理装置は、管理対象である複数の機器の中から、ユーザの操作指示に従って選択された複数の機器に設定されているパラメータ情報を、前記選択された複数の機器を一つのグループとして特定可能な識別情報、および前記パラメータ情報を前記グループ単位で保存するときの保存日時情報に対応付けて記憶させる記憶部と、管理対象である複数の機器を一覧表示する一覧表示部と、前記一覧表示部により表示された複数の機器の中から、一つの機器に対応する前記パラメータ情報の履歴情報を表示するように指示された場合に、当該指示された一つの機器と同じ前記グループに属する機器の前記パラメータ情報を、前記記憶部により記憶させられた前記パラメータ情報から抽出する情報抽出部と、前記情報抽出部により抽出された前記パラメータ情報を、ユーザが閲覧可能な状態で提供する情報提供部と、を備える。
【０００７】
また、本発明に係る機器管理方法は、管理対象である複数の機器の中から、ユーザの操作指示に従って選択された複数の機器に設定されているパラメータ情報を、前記選択された複数の機器を一つのグループとして特定可能な識別情報、および前記パラメータ情報を前記グループ単位で保存するときの保存日時情報に対応付けて記憶させる記憶ステップと、管理対象である複数の機器を一覧表示する一覧表示ステップと、前記一覧表示ステップにおいて表示された複数の機器の中から、一つの機器に対応する前記パラメータ情報の履歴情報を表示するように指示された場合に、当該指示された一つの機器と同じ前記グループに属する機器の前記パラメータ情報を、前記記憶ステップにおいて記憶させられた前記パラメータ情報から抽出する情報抽出部と、前記情報抽出ステップにおいて抽出された前記パラメータ情報を、ユーザが閲覧可能な状態で提供する情報提供ステップと、を含む。
【０００８】
かかる構成を採用することで、ユーザが任意に選択した複数の機器に設定されているパラメータ情報を、その選択した機器群を一つのグループとするグループ単位で管理することができ、ユーザが機器の履歴情報を要求した場合には、その機器が属しているグループ全体のパラメータ情報を抽出し、この抽出したパラメータ情報を、同一グループに属している機器ごとの履歴情報としてユーザに提供することが可能となる。
【０００９】
上記、情報抽出部は、前記一覧表示部により表示された複数の機器の中から、一つの機器に対応する前記パラメータ情報の最新情報を表示するように指示された場合に、当該指示された一つの機器の前記パラメータ情報のうち、最新の前記パラメータ情報を、前記記憶部により記憶させられた前記パラメータ情報から抽出する、こととしてもよい。
【発明の効果】
【００１０】
本発明によれば、任意に選択した複数の機器のパラメータ情報をまとめて管理することができる機器管理装置および機器管理方法を提供することができる。
【図面の簡単な説明】
【００１１】
【図１】実施形態における機器管理装置を含む機器管理システムの構成を例示する図である。
【図２】複数の機器を選択する際に用いるツール画面を例示する図である。
【図３】機器一覧画面を例示する図である。
【図４】履歴情報画面を例示する図である。
【発明を実施するための形態】
【００１２】
以下、図面を参照して本発明に係る実施形態について説明する。ただし、以下に説明する実施形態は、あくまでも例示であり、以下に明示しない種々の変形や技術の適用を排除するものではない。すなわち、本発明は、その趣旨を逸脱しない範囲で種々変形して実施できる。
【００１３】
図１は、本発明の実施形態における機器管理装置を含む機器管理システムの概略構成を示す図である。図１に示すように、機器管理システム１００は、機器管理装置１と、一つまたは複数のコントローラ２と、一つまたは複数のデバイス３と、を備える。コントローラ２およびデバイス３は階層関係にある機器であり、コントローラ２が上位階層に位置し、デバイス３がコントローラ２の下位階層に位置する。
【００１４】
デバイス３は、プラント内に配置される機器であり、例えばフィールドバスを介してコントローラ２と双方向に通信する機能を搭載したフィールド機器や、ＨＡＲＴ（Highway Addressable Remote Transducer）通信機能を搭載したＨＡＲＴ通信対応機器を、デバイス３として用いることができる。フィールドバスは、デジタル信号で双方向通信可能な通信方式のネットワークであり、その通信仕様は、フィールドバス協会（Fieldbus Foundation（登録商標））によって、ファウンデーションフィールドバス(Foundation Fieldbus)として規格化（標準化）されている。
【００１５】
デバイス３の例示としては、流量や圧力、温度等を検出する各種センサ機器、流量制御弁や圧力制御弁等の各種バルブを制御するバルブポジショナ、ポンプやファン等を動作させる各種アクチュエータ等が該当する。
【００１６】
コントローラ２は、下位階層に位置するデバイス３を統括制御する機器である。コントローラ２は、一例として、センサ機器から取得した流量や圧力等の測定値に基づいて、バルブポジショナを制御することで、配管に設けられたバルブの開度等を調節する。
【００１７】
機器管理装置１は、コントローラ２やデバイス３の機器情報を管理する装置である。機器管理装置１は、物理的には、例えば、ＣＰＵ（Central Processing Unit、）等の制御装置と、メモリやＨＤＤ（Hard Disk Drive）等の記憶装置と、入力装置と、表示装置とを備える。記憶装置は、機器管理に関する情報を格納する各種のテーブルを記憶する。各種のテーブルの一例として、パラメータ情報テーブル１１ａがある。
【００１８】
図１に示すように、機器管理装置１は、機能的には、例えば、記憶部１１と、一覧表示部１２と、情報抽出部１３と、情報提供部１４と、を有する。
【００１９】
記憶部１１は、ユーザである管理者の操作指示に従って、管理対象であるコントローラ２やデバイス３に設定されているパラメータ情報を、機器管理装置１のパラメータ情報テーブル１１ａに保存して記憶させる。パラメータ情報には、例えば、機器を特定する機器名や、パラメータを特定するパラメータ名、パラメータに設定するパラメータ値等が含まれる。
【００２０】
記憶部１１は、管理対象となる複数のコントローラ２やデバイス３の中から、パラメータ情報を保存する対象として複数の機器が選択された場合に、この選択された複数の機器に設定されているパラメータ情報を、グループ識別情報、保存日時情報および覚書情報に対応付けて、パラメータ情報テーブル１１ａに記憶させる。
【００２１】
グループ識別情報は、パラメータ情報を保存する対象として選択された複数の機器を、一つのグループとして特定可能な識別情報である。保存日時情報は、パラメータ情報をグループ単位で保存するときの日時を特定可能な情報である。覚書情報は、そのグループを形成した経緯等を管理者が書き留めておくメモ情報である。
【００２２】
なお、パラメータ情報に対応付けて記憶させる情報は、上記グループ識別情報、保存日時情報および覚書情報に限定されず、他の情報を任意に付随させることができる。
【００２３】
管理者が、複数の機器を選択する際に用いるツール画面の一例を、図２に示す。このツール画面には、管理対象となる複数のコントローラ２やデバイス３に対応するアイコンがツリー形式で表示されている。図２では、コントローラ２Ａに属する複数のデバイス３Ａ〜３Ｈのうち、三つのデバイス３Ａ〜３Ｃが選択されている。この状態で実行ボタン（不図示）がクリックされると、これら三つのデバイス３Ａ〜３Ｃに対応するパラメータ情報が、一つのグループを形成してパラメータ情報テーブル１１ａに保存されることになる。
【００２４】
つまり、記憶部１１は、三つのデバイス３Ａ〜３Ｃに設定されているパラメータ情報に、同一のグループ識別情報、保存日時情報および覚書情報を、それぞれ付加して新たなパラメータ情報を生成し、生成した各パラメータ情報をパラメータ情報テーブル１１ａに記憶させる。
【００２５】
覚書情報は、例示的に、ツール画面にメモ入力欄を設け、そのメモ入力欄から入力することとしてもよいし、ツール画面で機器を選択してから実行する際にポップアップさせるサブ画面にメモ入力欄を設け、そのメモ入力欄から入力することとしてもよい。
【００２６】
図１に示す一覧表示部１２は、管理者の操作指示に従って、管理対象のコントローラ２やデバイス３を一覧表示した機器一覧画面を表示装置に表示させる。図３に、機器一覧画面を例示する。この機器一覧画面は、例えば、プロトコル欄ａと、機器名欄ｂと、詳細欄ｃと、を有する。プロトコル欄ａは、機器のプロトコルを表示する領域であり、機器名欄ｂは、機器を識別する際の名称を表示する領域である。
【００２７】
詳細欄ｃは、機器に設定されている最新のパラメータ情報を閲覧するためのハイパーリンク部ｃ１や、パラメータ情報の履歴を閲覧するためのハイパーリンク部ｃ２を表示する領域である。詳細欄ｃが空欄である場合には、その機器に設定されているパラメータ情報が、パラメータ情報テーブル１１ａに未だ保存されていないことを示す。
【００２８】
図１に示す情報抽出部１３は、図３に示す機器一覧画面から、いずれか一つのハイパーリンク部ｃ２がクリックされた場合に、そのハイパーリンク部ｃ２に対応する機器と同一のグループに属する機器のパラメータ情報を、パラメータ情報テーブル１１ａから抽出する。以下に、具体的に説明する。
【００２９】
最初に、情報抽出部１３は、パラメータ情報テーブル１１ａを参照し、クリックされたハイパーリンク部ｃ２に対応する機器のパラメータ情報に付随しているグループ識別情報を特定する。続いて、情報抽出部１３は、特定したグループ識別情報と一致するグループ識別情報が付随しているパラメータ情報を、パラメータ情報テーブル１１ａから抽出する。
【００３０】
一方、情報抽出部１３は、図３に示す機器一覧画面から、いずれか一つのハイパーリンク部ｃ１がクリックされた場合に、そのハイパーリンク部ｃ１に対応する機器のパラメータ情報のうち最新のパラメータ情報を、パラメータ情報テーブル１１ａから抽出する。最新のパラメータ情報であるかどうかは、パラメータ情報に付随している保存日時情報を比較することで判別できる。
【００３１】
図１に示す情報提供部１４は、情報抽出部１３により抽出されたパラメータ情報を、ユーザが閲覧可能な状態で提供する。以下に具体的に説明する。
【００３２】
図３に示す詳細欄ｃに表示されている履歴表示へのハイパーリンク部ｃ２がクリックされた場合に、情報提供部１４は、クリックされたハイパーリンク部ｃ２に対応する機器に設定されているパラメータ情報の履歴を閲覧するための履歴情報画面を、表示装置に表示させる。図４に、履歴情報画面を例示する。この履歴情報画面は、例えば、グループ情報欄ｄと、プロトコル欄ｅと、機器名欄ｆと、結果欄ｇと、詳細欄ｈと、を有する。グループ情報欄ｄは、ユーザ欄ｄ１と、開始時間欄ｄ２と、終了時間欄ｄ３と、メモ欄ｄ４と、をさらに含む。
【００３３】
ユーザ欄ｄ１は、対象となるグループ単位でパラメータ情報を保存したユーザを特定するための情報を表示する領域である。開始時間欄ｄ２および終了時間欄ｄ３は、対象となるグループ単位でパラメータ情報を保存したときの処理開始時間および処理終了時間を表示する領域である。この処理開始時間および／または処理終了時間が保存日時情報となる。メモ欄ｄ４は、対象となるグループ単位でパラメータ情報を保存するときにユーザが入力した覚書情報を表示する領域である。
【００３４】
プロトコル欄ｅは、機器のプロトコルを表示する領域であり、機器名欄ｆは、機器を識別する際の名称を表示する領域である。結果欄ｇは、パラメータ情報の保存処理の実行結果を表示する欄である。詳細欄ｈは、保存時に機器に設定されていたパラメータ情報を閲覧するためのハイパーリンク部ｈ１を表示する領域である。このハイパーリンク部ｈ１をクリックすると、その機器に設定されていたパラメータ情報を一覧可能なパラメータ一覧画面が表示される。
【００３５】
一方、図３に示す詳細欄ｃに表示されている最新パラメータ情報へのハイパーリンク部ｃ１がクリックされた場合に、情報提供部１４は、クリックされたハイパーリンク部ｃ１に対応する機器に設定されている最新のパラメータ情報を一覧可能なパラメータ一覧画面を、表示装置に表示させる。
【００３６】
上述してきたように、実施形態における機器管理装置１によれば、記憶部１１を有することで、管理対象である複数の機器の中から、ユーザが選択した複数の機器に設定されているパラメータ情報を、その選択した機器群を一つのグループとして特定可能なグループ識別情報、そのパラメータ情報をグループ単位で保存するときの保存日時情報、およびそのグループに関する覚書情報に対応付けて、パラメータ情報テーブル１１ａに記憶させることができる。
【００３７】
また、一覧表示部１２を有することで、管理対象となる複数の機器を一覧表示させることができる。また、情報抽出部１３を有することで、一覧表示された複数の機器の中から、一つの機器に対応するパラメータ情報の履歴情報を表示するように指示された場合に、その指示された一つの機器と同じグループに属する機器のパラメータ情報をパラメータ情報テーブル１１ａから抽出させることができる。さらに、情報提供部１４を有することで、抽出されたパラメータ情報を、ユーザが閲覧可能な状態で提供することができる。
【００３８】
それゆえに、実施形態における機器管理装置１によれば、ユーザが任意に選択した複数の機器に設定されているパラメータ情報を、その選択した機器群を一つのグループとするグループ単位で管理することができ、ユーザが機器の履歴情報を要求した場合には、その機器が属しているグループ全体のパラメータ情報を抽出し、この抽出したパラメータ情報を、同一グループに属している機器ごとの履歴情報としてユーザに提供することが可能となる。
【符号の説明】
【００３９】
１…機器管理装置
２…コントローラ
３…デバイス
１１…記憶部
１１ａ…パラメータ情報テーブル
１２…一覧表示部
１３…情報抽出部
１４…情報提供部
【図１】
2014134918.tif 000003
【図２】
2014134918.tif 000004
【図３】
2014134918.tif 000005
【図４】
2014134918.tif 000006